(57)【要約】【課題】簡単な設備で且つコストが低く、安全上の問題もなく、効率的に長尺物を処理することができる長尺物処理装置を提供すること。【解決手段】油圧シリンダ７を昇降させることにより昇降自在の第一テーブル１と、第一テーブル１上の一方の端部付近の固定サポート１０に接続された可動サポート１１によって回動可能に支持されるとともに第一テーブル１上の一方の端部側と油圧シリンダ１２によって接続された第二テーブル２とを備え、第二テーブル２上の一方の側にストッパー２ａを備えている。油圧シリンダ７を伸張して第一テーブル１を上昇させ、油圧シリンダ１２を伸張させて第二テーブル２を倒立させる。次ぎに、油圧シリンダ７を収縮させて第一テーブルとともに第二テーブル２上の被処理長尺物３３を下降させ、第二テーブル２上の被処理長尺物３３の一部を超音波洗浄槽１４内に進入させて超音波洗浄する。【選択図】         図１
2006008300.tif 000002
【特許請求の範囲】
【請求項１】
昇降自在の第一テーブルと、                                                      第一テーブルに対して回動可能に支持されて倒立することができる、処理される長尺物を載置固定する第二テーブルと、                                                    第一テーブルおよび第二テーブルの近傍に配した長尺物を処理する処理装置とを有する長尺物処理装置。
【請求項２】
第二テーブルは第一テーブル上の一方の端部付近において回動可能に支持されるとともに、第一テーブル上の一方の端部側と第二テーブルが第二テーブルを回動させるための伸縮装置で接続されている請求項１記載の長尺物処理装置。
【発明の詳細な説明】
【技術分野】
【０００１】
本発明は、長尺物、例えば、鉄道レールなどの長さが長い物体を処理する装置に関する。
【背景技術】
【０００２】
一般に、各種産業分野において、工場内で長尺物に各種処理を施すには、長尺物を所定の処理設備まで運搬するための手段として天井クレーンなどの揚重機が必要とされることが多い。
【０００３】
しかし、天井クレーンなどを設けるには、工場の建物に天井クレーンのような揚重機の重量に耐えることのできる十分な機械構造を備えることが必要で、設備コストの上昇を招いてしまう。また、天井クレーンが頭上を走行している直下で作業者により様々な作業が行われていると、安全上の問題が懸念される。また、天井クレーンを操作する作業者とクレーンで吊り上げた実際の長尺物との距離は一般的に長いということもあって、天井クレーン作業者が運搬物である長尺物を昇降や横行させるに際して微妙な距離の調整が困難なことが多く、作業効率が低くなりやすい。
【０００４】
なお、本発明は発明者独自の着想によりなされたものであって、先行技術文献として記載すべきものはない。
【発明の開示】
【発明が解決しようとする課題】
【０００５】
本発明は従来の技術の有するこのような問題点に鑑みてなされたものであって、その目的は、簡単な設備でコストが低く、安全上の問題もなく、効率的に長尺物を処理することができる長尺物処理装置を提供することにある。
【課題を解決するための手段】
【０００６】
上記目的を達成するために本発明の長尺物処理装置は、昇降自在の第一テーブルと、第一テーブルに対して回動可能に支持されて倒立することができる、処理される長尺物を載置固定する第二テーブルと、第一テーブルおよび第二テーブルの近傍に配した長尺物を処理する処理装置とを有することを特徴としている。
【０００７】
また、第二テーブルは第一テーブル上の一方の端部付近において回動可能に支持されるとともに、第一テーブル上の一方の端部側と第二テーブルが第二テーブルを回動させるための伸縮装置で接続されていることが好ましい。例えば、伸縮装置としては油圧シリンダを用いることができる。
【０００８】
第二テーブル上に複数本の長尺物固定用ボルトを立設すれば、この固定ボルトを利用して処理すべき長尺物を確実に固定できるので好ましい。
【０００９】
処理装置が超音波洗浄装置であれば、長尺物を簡単且つ確実に洗浄処理できるので、好ましい。
【００１０】
本発明は上記のとおり構成されているので、長尺物を処理するに際して、第二テーブル上に被処理長尺物を載置して固定し、昇降装置を伸張させて第一テーブルを上昇させ、次いで、第二テーブルを約９０゜回動させると、被処理長尺物は第二テーブルとともに回動して倒立状態となる。次に、昇降装置を収縮させて第一テーブルを下降させると、第二テーブル上の被処理長尺物は第一テーブルとともに下降し、被処理長尺物の一部は処理装置に進入する。そして、処理装置内の被処理長尺物に所定の処理を施すことができる。
【発明の効果】
【００１１】
本発明によれば、昇降自在のテーブルと回動可能なテーブルと、これらのテーブルの近傍に配した処理装置とからなる簡単な設備で、コストが低く、安全上の問題もなく、効率的に長尺物を処理することができる。
【実施例１】
【００１２】
以下に本発明の実施例を説明するが、本発明は下記実施例に限定されるものでなく、本発明の技術的範囲を逸脱しない範囲において適宜変更と修正が可能である。
【００１３】
本発明の処理装置を適用することができる長尺物の一例としては、鉄道レール、例えば、接着絶縁レールを挙げることができるが、もちろんこれに限定されるものではない。接着絶縁レールとは、鉄道におけるロングレール軌道区間などに敷設する、列車の接近を知らせるための信号やレールの亀裂を検出するための信号を伝達する回路を形成するために用いられるものである。
【００１４】
接着絶縁レールは、図４に示すように、一方のレール４１と他方のレール４２の接合面間に一定の厚さのレール形の絶縁材４３を挿入し、図５に示すように、レール４１または４２と継目板４４との間に一定の厚さの絶縁プレート４５を挿入し、絶縁チューブ４６を介してボルト４７とナット４８により締結する構造である。従って、接着絶縁レールにおいて、上記絶縁プレートとの接合面は良好な接合を確保するために清浄にしておく必要がある。例えば、この接着絶縁レールの接合面を本発明の処理装置を用いて清浄にすることができる。以下に、より詳細に説明する。
【００１５】
図１（ａ）は本発明の長尺物処理装置を構成する長尺物保持機構の平面図、図１（ｂ）は同機構の側面図、図２は同機構の正面図である。
【００１６】
図１（ａ）（ｂ）および図２において、１は第一テーブル、２は第二テーブルである。第一テーブル１はパンタグラフ式のリンク機構により昇降動作をする。ベース３に一端を固定されて他端を第一テーブル１に固定された外側アーム４、４と、ベース３に一端を固定されて他端を第一テーブル１に固定された内側アーム５、５とが、センターピン６、６により拡縮可能に接合されている。ベース３に一端を固定された油圧シリンダ７、７の他端は内側アーム５、５を接続する継手８に取り付けられている。シリンダ７のロッド９が伸張あるいは収縮することにより、外側アーム４と内側アーム５からなるリンク機構が、あたかもパンタグラフのように伸縮することができる。
【００１７】
第二テーブル２は、第一テーブル１上の一方の端部付近の固定サポート１０に接続された可動サポート１１によって回転可能に支持されるとともに、第一テーブル１上の一方の端部側と油圧シリンダ（倒立シリンダ）１２によって接続されている。第二テーブル２上の一方の側にストッパー２ａを備えている。第二テーブル２上には複数本の長尺物固定用ボルト１３が取りつけられている。１４は超音波洗浄槽である。
【００１８】
図３は、本発明の長尺物処理装置を構成する超音波洗浄槽を組み込んだ洗浄システムの一例の概略構成図である。図３について、簡単に説明する。この洗浄システムは、超音波洗浄槽１４とアルカリ性電解水生成ユニット１５と循環ポンプユニット１６からなる。経路１７から供給される水道水は軟水器１８において軟水にされ、電解質溶解タンク１９を備えたアルカリ性電解水生成器２０においてアルカリ性電解水にされる。このアルカリ性電解水は経路２１を経て超音波発振子２２を備えた超音波洗浄槽１４に供給され、パイプ２３の底部から吐出される。超音波洗浄槽１４からオーバーフローしたアルカリ性電解水はプレタンク２４を経てポンプ２５によりｐＨ中和装置２６を経て排出される。超音波洗浄槽１４の底部からは、経路２７を経てポンプ２８により一定量のアルカリ性電解水が引き抜かれて、フィルター２９と３０で濾過されて経路３１を経て超音波洗浄槽１４に戻される。３２はポンプ制御盤である。
【００１９】
以上のように構成される長尺物保持機構と超音波洗浄槽を用いて長尺物の一部を洗浄処理する場合について説明する。
【００２０】
第二テーブル２上に被処理長尺物（例えば、接着絶縁レール）３３を載置し、ボルト挿通孔を有するフラットバー（図示せず）に長尺物固定用ボルト１３を挿通して図示しないナットで締め付けて被処理長尺物を固定する。
【００２１】
次ぎに、油圧シリンダ７のロッド９を伸張させて、外側アーム４と内側アーム５からなるリンク機構がパンタグラフのように伸びて第一テーブル１を上昇させる。次いで、油圧シリンダ１２のロッド３４を伸張させて、固定サポート１０と可動サポート１１を接続する中心軸３５を中心として第二テーブル２を約９０゜回動させ、第二テーブル２を水平状態から倒立状態にする。
【００２２】
さらに、シリンダ７のロッド９を収縮させて第一テーブル１を下降させると、第二テーブル２上の被処理長尺物３３は第一テーブル１とともに下降し、被処理長尺物３３の一方の端部は超音波洗浄槽１４内に進入する。そして、超音波洗浄槽１４内の被処理長尺物３３に対して、図３に示すような洗浄システムにより超音波洗浄が施される。
【００２３】
洗浄終了後は、上記の逆の工程を経ることにより所定の洗浄処理が完了する。
【００２４】
３６は床面であり、床面下に超音波洗浄槽１４の一部を埋設することにより、長尺物を倒立状態で洗浄処理するに際して、空間を有効利用することができるという利点があり、工場建屋の高さを過度に高くする必要がない。上記実施例においては、被処理長尺物の端部を清浄にするための処理装置として超音波洗浄槽を用いたが、もちろん、これに限定されるものでなく、他の洗浄手段も採用することができるのは言うまでもない。
【産業上の利用可能性】
【００２５】
本発明は、鉄道レールのような長尺物を洗浄処理する用途に適用できる。
【図面の簡単な説明】
【００２６】
【図１】図１（ａ）は本発明の長尺物処理装置を構成する長尺物保持機構の平面図、図１（ｂ）は同機構の側面図である。
【図２】図１の長尺物保持機構の正面図である。
【図３】洗浄システムの一例の概略構成図である。
【図４】接着絶縁レールの側面図である。
【図５】接着絶縁レールの断面図である。
【符号の説明】
【００２７】
１…第一テーブル
２…第二テーブル
２ａ…ストッパー
３…ベース
４…外側アーム
５…内側アーム
６…センターピン
７…油圧シリンダ
８…継手
９…ロッド
１０…固定サポート
１１…可動サポート
１２…油圧シリンダ
１３…長尺物固定用ボルト
１４…超音波洗浄槽
１５…アルカリ性電解水生成ユニット
１６…循環ポンプユニット
１８…軟水器
１９…電解質溶解タンク
２０…アルカリ性電解水生成器
２２…超音波発振子
２４…プレタンク
２５…ポンプ
２６…ｐＨ中和装置
２８…ポンプ
２９…フィルター
３０…フィルター
３２…ポンプ制御盤
３３…被処理長尺物
３４…ロッド
３５…中心軸
３６…床面
【図１】
2006008300.tif 000003
【図２】
2006008300.tif 000004
【図３】
2006008300.tif 000005
【図４】
2006008300.tif 000006
【図５】
2006008300.tif 000007